(57)【要約】【課題】オーディオ媒体のオーディオ信号はユーザーコンピュータで再生し、サーバーコンピュータではオーディオ信号に同期化した所定の文字情報のみを伝送するため、ネットワーク負荷が生じず、且つ、各種オーディオ媒体の文字情報をデータベースとして構築して、遠隔文字支援サービスを提供する。【解決手段】ユーザーコンピュータの通信接続がなされると、サーバーコンピュータから遠隔文字支援サービス可能なオーディオ媒体のリストをユーザーコンピュータに提供し、ユーザーコンピュータに挿入された特定オーディオ媒体の再生選択データが入力されると、再生プログラムの実行を制御して、オーディオ媒体の再生を始め、ユーザー選択に応じてオーディオ媒体の再生中のオーディオ信号に同期化した文字情報をユーザーコンピュータへ出力し表示する。【選択図】図４
2006092510.tif 000002
【特許請求の範囲】
【請求項１】
不特定多数の通信回線を連結して、相互間に遠隔文字支援と関連したデータの通信が行われるようなされたネットワーク通信網；
ユーザーの操作に応じて、前記ネットワーク通信網を介して遠隔文字支援サービスを提供する外部との通信接続を行い、ユーザーが、外部から提供される遠隔文字支援サービス可能な各種オーディオ媒体リスト等のうち、現在、オーディオドライバに挿入されている特定オーディオ媒体の再生を選択すると、外部からの制御に従って当該オーディオ媒体の再生のための再生プログラムを実行し、且つ、 再生プログラムの実行以降、ユーザーにより前記オーディオ媒体の特定トラックが選択されると、前記オーディオドライバに挿入された特定オーディオ媒体の当該トラックを再生させ、且つ、現在、再生されているオーディオ信号に同期化した所定の文字情報を外部から受けて、再生プログラム上に表示する複数のユーザーコンピュータ；及び
出版物の付録として提供されるＣＤ、レコードを含む各種オーディオ媒体のオーディオ信号に同期化した文字情報をデータベースとして構築し、前記ネットワーク通信網を介して通信接続を行った前記ユーザーコンピュータに遠隔文字支援サービス可能な各種オーディオ媒体リストを提供し、該リストを確認した前記ユーザーコンピュータから特定オーディオ媒体の再生が選択されると、前記ユーザーコンピュータのオーディオドライバに挿入された当該オーディオ媒体の再生のための再生プログラムの実行を制御し、且つ、前記再生プログラムの実行以降、ユーザーの操作に応じてオーディオドライバに挿入された当該オーディオ媒体の特定トラックが再生されると、当該トラックのオーディオ信号に同期化した所定の文字情報を前記ユーザーコンピュータへ出力するサーバーコンピュータを、含むことを特徴とするネットワークベースの遠隔文字支援サービスシステム。
【請求項２】
前記ユーザーコンピュータは、
前記サーバーコンピュータの遠隔駆動制御に従って、ユーザーの挿入したオーディオ媒体の再生を行うオーディオドライバ部；
ユーザーの操作によって、前記ネットワーク通信網を介して前記サーバーコンピュータとの通信接続を制御し、前記サーバーコンピュータに通信接続を行ったユーザーが特定オーディオ媒体の再生を選択すると、前記サーバーコンピュータの遠隔駆動制御に従って再生プログラムを駆動し、前記オーディオドライバ部を介してオーディオ媒体を再生するよう制御し、且つ、前記オーディオドライバ部を介して再生されるオーディオ信号に同期化した文字情報をサーバーコンピュータから受けて、前記再生プログラム上に表示する制御部；
前記制御部の制御に従って再生プログラムを実行させ、前記オーディオドライバ部を介してユーザーの挿入したオーディオ媒体の各トラックに貯蔵されているオーディオ信号を再生させるようなされたプログラム駆動部；
前記制御部の制御に従って、前記ネットワーク通信網を介して前記サーバーコンピュータに通信接続を行い、ユーザーの特定オーディオ媒体の再生選択に応じて前記サーバーコンピュータから入力される特定オーディオ媒体の駆動制御のためのデータを前記制御部に出力し、且つ、現在、再生中であるオーディオ信号に同期化した文字情報を前記サーバーコンピュータから受けて、前記制御部に出力するデータ通信部；及び
前記制御部の制御に従って、オーディオ媒体の再生のために実行された再生プログラムを画面上に表示し、且つ、前記制御部の制御によって、前記データ通信部を介して前記サーバーコンピュータから提供される文字情報を前記再生プログラム上に表示するモニターを、含むことを特徴とする請求項１に記載のネットワークベースの遠隔文字支援サービスシステム。
【請求項３】
前記サーバーコンピュータは、
前記ネットワーク通信網を介して通信接続を行う前記ユーザーコンピュータと遠隔文字支援サービス可能な各種オーディオ媒体等のリスト出力、特定オーディオ媒体の再生選択データ入力、ユーザーの選択した特定オーディオ媒体の遠隔駆動制御のためのデータ出力、前記ユーザーコンピュータで再生中のオーディオ信号に同期化した文字情報の出力を処理するデータ通信部；
前記データ通信部を介して通信接続を行った前記ユーザーコンピュータへ遠隔文字支援サービス可能な各種オーディオ媒体リストの提供を制御し、前記データ通信部を介して前記ユーザーコンピュータから特定オーディオ媒体の再生選択データが入力されると、当該オーディオ媒体の遠隔駆動制御のためのデータを前記ユーザーコンピュータに出力し、且つ、前記ユーザーコンピュータで再生されるオーディオ信号に同期化した所定の文字情報を前記ユーザーコンピュータに出力するよう制御する制御部；及び
外国語教材、詩集／エッセイ集のような各種出版物の付録として提供されるＣＤ、レコードを含む各種オーディオ媒体に記録されたオーディオ信号に同期化した文字情報を貯蔵し、且つ、前記制御部の制御によって、前記ユーザーコンピュータ上で再生中のオーディオ信号に同期化した特定オーディオ媒体の文字情報を出力するデータベースを、含むことを特徴とする請求項１に記載のネットワークベースの遠隔文字支援サービスシステム。
【請求項４】
前記ユーザーコンピュータは、
ユーザーの操作に応じてＣＤ、ＤＶＤを含むオーディオ媒体がユーザーコンピュータに挿入されると、認識プログラムを自動に駆動させ、前記オーディオ媒体に記録された認識情報を基に前記サーバーコンピュータの遠隔文字支援サービス可能なオーディオ媒体であるか否かを確認し、
該確認結果、前記オーディオ媒体が、前記サーバーコンピュータの遠隔文字支援サービス可能なものであると確認されると、自動に再生プログラムを駆動して、前記ユーザーコンピュータに挿入されたオーディオ媒体のオーディオ信号を再生し、
現在、再生されているオーディオ信号に同期化した文字情報を前記サーバーコンピュータから提供を受けて、前記再生プログラム上に表示することを特徴とする請求項１又は２に記載のネットワークベースの遠隔文字支援サービスシステム。
【請求項５】
（１）外国語教材、詩集／エッセイ集のような各種出版物の付録として提供されるＣＤ、レコードを含む各種オーディオ媒体をユーザーコンピュータに挿入したユーザーの操作に応じて、前記ユーザーコンピュータからネットワーク通信網を介して遠隔文字支援サービスを提供するサーバーコンピュータへ通信接続を行うステップ；
（２）前記サーバーコンピュータから、前記ネットワーク通信網を介して通信接続を行う前記ユーザーコンピュータに、現在、データベースとして構築されている遠隔文字支援サービス可能な各種オーディオ媒体のリストを提供するステップ；
（３）前記サーバーコンピュータで、遠隔文字情報サービス可能な各種オーディオ媒体のリストを確認したユーザーの操作に応じて、前記ユーザーコンピュータに挿入された特定オーディオ媒体の再生選択データが入力されるか否かを判断するステップ；
（４）前記判断の結果、前記ユーザーコンピュータから特定オーディオ媒体の再生選択データが入力されると、前記サーバーコンピュータで前記ユーザーコンピュータに当該オーディオ媒体再生のための再生プログラムが設けられているか否かを判断するステップ；
（５）前記判断の結果、前記ユーザーコンピュータに当該オーディオ媒体再生のための再生プログラムが設けられているならば、前記サーバーコンピュータは、前記ユーザーコンピュータに設けられている再生プログラムの実行を制御して、前記ユーザーコンピュータに挿入されている当該オーディオ媒体の再生を始めるステップ；
(６)前記ステップ(４)の判断の結果、前記ユーザーコンピュータに当該オーディオ媒体再生のための再生プログラムが設けられていなければ、前記サーバーコンピュータから前記ユーザーコンピュータに再生プログラムをダウンロードし、かつ設置して、前記再生プログラムの実行を制御し、前記ユーザーコンピュータに挿入されている当該オーディオ媒体の再生を始めるステップ；及び
（７）前記サーバーコンピュータから、前記再生プログラムを操作するユーザーの選択によって前記ユーザーコンピュータに挿入されたオーディオ媒体の、現在、再生中のオーディオ信号に同期化した文字情報を、前記ネットワーク通信網を介して、前記ユーザーコンピュータに出力し、再生プログラム上に表示するステップを含むことを特徴とするネットワークベースの遠隔文字支援サービスシステム。
【請求項６】
(Ａ)ユーザーコンピュータから、ユーザーの操作に応じてネットワーク通信網を介して、遠隔文字支援サービスを提供するサーバーコンピュータに、通信接続を進めるステップ；
（Ｂ）前記サーバーコンピュータから、前記ユーザーコンピュータに挿入される外国語教材、詩集／エッセイ集のような各種出版物の付録として提供されるＣＤ、レコードを含む各種オーディオ媒体が遠隔文字支援サービス可能であるか否かを自動に認識する認識プログラムと、前記オーディオ媒体再生のための再生プログラムとを、前記ユーザーコンピュータにダウンロードし、かつ設置するステップ；
（Ｃ）前記ユーザーコンピュータで、ユーザーの操作に応じて出版物の付録として提供されるＣＤ、レコードのようなオーディオ媒体が挿入されるか否かを判断するステップ；
（Ｄ）前記判断の結果、オーディオ媒体が挿入されると、前記ユーザーコンピュータに既に設けられていた認識プログラムを自動に駆動した後、前記オーディオ媒体に記録された認識情報を基に前記サーバーコンピュータの遠隔文字支援サービス可能なオーディオ媒体であるか否かを確認するステップ；
（Ｅ）該確認の結果、前記オーディオ媒体が遠隔文字支援サービス可能なものであれば、前記ユーザーコンピュータに既に設けられていた再生プログラムを駆動し、ユーザーコンピュータに挿入された当該オーディオ媒体の再生を始めるステップ；及び
（Ｆ）前記ユーザーコンピュータで前記再生プログラムを操作するユーザーの選択によって、前記ユーザーコンピュータに挿入されたオーディオ媒体の、現在、再生中のオーディオ信号に同期化した文字情報を、前記ネットワーク通信網を介して、前記サーバーコンピュータから提供を受けて、再生プログラム上に表示する過程を包含することを特徴とするネットワークベースの遠隔文字支援サービス方法。
【発明の詳細な説明】
【技術分野】
【０００１】
本発明は、遠隔文字支援サービスシステム及び方法に関する。さらに詳細には、ユーザーコンピュータに挿入された外国語教材、詩集／エッセイ集のような各種出版物の付録として提供されるＣＤ、レコードなどのオーディオ媒体をインターネットを介して連結されたサーバー側の遠隔駆動制御に従って再生すると共に、再生されるオーディオ信号に同期化された文字情報(即ち、キャプションデータ)をサーバー側から遠隔にて提供を受けて、モニター上に表示することができるようにした、ネットワークをベースとする遠隔文字支援サービスシステム及び方法に関する。
【背景技術】
【０００２】
一般に、インターネットというものは、全世界の何処でも、誰でも、接続しようとする相手側のコンピュータに、ＴＣＰ／ＩＰ(Transmission Control Protocol/Internet Protocol)という共通のプロトコルを適用して、自由に連結し用いることができるようになされた開放型ネットワークとして、基本的な文字情報の伝達はもちろん、圧縮技術の発展に伴ってマルチメディア情報の伝達に用いられるなど、電子郵便、ファイル伝送、WWW(World Wide Web)などの様々なサービスを利用することができる。
【０００３】
前述したように、インターネットは、国内を初めとして全世界にその使用が極端に増加されつつありながら、既存産業の全分野に亘って、高効率や高生産性を図るための、戦略的なツールとして該重要性が急速に増大され続けてきた。且つ、インターネットを介して、新しいビジネスチャンスが創り出され続けることは言うまでもなく、その領域をも拡張させていく上で、インターネットを用いた事業者達もますます増えている一方である。
【０００４】
即ち、インターネットを用いたビジネスの一環として、インターネット広告、インターネット放送、オンラインゲーム、インターネット新聞/雑誌、検索サービス、ポータルーサービス、電子商取引などのような様々なコンテンツを提供するサイト等が急速に増加されつつある。
【０００５】
一方、最近、インターネット、マルチメディア資料の急速な増加により、外国語教材、詩集／エッセイ集などのような各種出版物には、基本書物以外にオーディオ物を添付させる傾向が増えている。さらに、レコード業界においてもＭＰ３のようなデジタルデータの利用増加によって、伝統的なレコード販売の売上げが減っているものの、レコード業界の推移は、将来、数年間は維持されることと展望されている。
【０００６】
しかしながら、前述した従来外国語教材、詩集／エッセイ集などのような各種出版物に付録として提供されるＣＤ、レコードなどのオーディオ媒体等は、その大半がオーディオ信号のみを貯蔵しているため、ユーザー達は、単にオーディオ信号のみを再生しかつ聞き取るだけであって、例えば、再生中である音楽の歌詞や外国語の原文／翻訳文を読めるような文字情報のサービスを受けられないということにより、オーディオ媒体を多様に活用することができないといった問題点があった。
【０００７】
また、ユーザーが各種オーディオ媒体を再生する場合、文字情報を共に利用するためには、製作業者側がオーディオ媒体の製作に取り組む際、オーディオ信号と文字情報とを共に貯蔵しなければならず、それと同時にオーディオ信号及び文字情報を同期化化し、かつ再生する別の再生プログラムを使用すべきであったため、凡庸に用いさせがたく、且つ、既に市場に出ている各種オーディオ媒体にはこのような文字情報サービスを提供し得る方法が全くないという問題点をも抱えていた。
【発明の開示】
【発明が解決しようとする課題】
【０００８】
本発明は、前記従来技術の問題点に鑑みてなされたものであり、その目的は、ユーザーコンピュータを介して外国語教材、詩集／エッセイ集などのような各種出版物の付録として提供されるＣＤ、レコードなどのオーディオ媒体等を再生する際、ユーザーの操作に応じて、インターネットを介してユーザーコンピュータと連結されたサーバー側よりオーディオ媒体を遠隔にて再生させると共に、再生されるオーディオ信号に同期化した所定の文字情報サービスを提供して、モニター上に表示させることができる、ネットワークをベースとする遠隔文字支援サービスシステム及び方法を提供することにある。
【０００９】
本発明の他の目的は、ユーザーコンピュータで、ユーザーがオーディオドライバに挿入した外国語教材、詩集／エッセイ集などのような各種出版物の付録として提供されるＣＤ、レコードなどのオーディオ媒体が、遠隔文字情報サービスを受けられるものであるか否かを自動に認識し、且つ、ユーザーによる別の操作なしにインターネットを介してユーザーコンピュータにつながったサーバー側で当該オーディオ媒体を遠隔にて再生させると共に、再生されるオーディオ信号に同期化した所定の文字情報を提供して、モニター上に表示できる、ネットワークをベースとする遠隔文字支援サービスシステム及び方法を提供することにある。
【課題を解決するための手段】
【００１０】
前記目的を達成するために、本発明によるネットワークベースの遠隔文字支援サービスシステムは、不特定多数の通信回線を連結し、相互間に遠隔文字伝送と関連したデータ通信が行われるようにしたネットワーク通信網と；ユーザーの操作に応じて前記ネットワーク通信網を介して遠隔文字支援サービスを提供する外部との通信接続を行い、ユーザーが、外部より提供される遠隔文字支援サービス可能な各種オーディオ媒体リスト等のうち、現在、オーディオドライバに挿入されている特定オーディオ媒体の再生を選択すると、外部からの制御に従って当該オーディオ媒体の再生のための再生プログラムを実行し、且つ、再生プログラムの実行以降、ユーザーによりオーディオ媒体の特定トラックが選ばれると、オーディオドライバに挿入されている特定オーディオ媒体の当該トラックを再生し、現在、再生中のオーディオ信号と同期化した所定の文字情報を外部より受けて、再生プログラム上に表示する複数のユーザーコンピュータと；出版物の付録として提供されるＣＤ、レコードなどような各種オーディオ媒体のオーディオ信号と同期化した文字情報をデータベースとして構築し、前記ネットワーク通信網を介して通信接続を行ったユーザーコンピュータへ遠隔文字支援サービス可能な各種オーディオ媒体リストを提供し、該リストを確認したユーザーコンピュータから特定オーディオ媒体の再生が選択されると、ユーザーコンピュータのオーディオドライバに挿入された当該オーディオ媒体の再生のための再生プログラムの実行を制御し、且つ、再生プログラムの実行以降、ユーザーの操作に応じてオーディオドライバに挿入されたオーディオ媒体の特定トラックが再生されると、当該トラックのオーディオ信号に同期化した所定の文字情報をユーザーコンピュータに出力するサーバーコンピュータを、含んでいることを特徴とする。
【００１１】
そして、本発明によるネットワークベースの遠隔文字支援システムは、 ユーザーコンピュータで、ユーザーの操作に応じてＣＤ、ＤＶＤなどのオーディオ媒体がユーザーコンピュータに挿入されると、認識プログラムを自動に駆動させた後、オーディオ媒体に記録された認識情報を基にサーバーコンピュータの遠隔文字支援サービス可能なオーディオ媒体であるか否かを確認して、
該確認結果、オーディオ媒体がサーバーコンピュータの遠隔文字支援サービス可能なものであると判断されると、自動に再生プログラムを駆動し、ユーザーコンピュータに挿入されたオーディオ媒体のオーディオ信号を再生し、且つ、現在、再生されているオーディオ信号に同期化した文字情報をサーバーコンピュータから受けて、再生プログラム上に表示することを他の特徴とする。
【００１２】
また、本発明によるネットワークベースの遠隔文字支援サービス方法は、(１)外国語教材、詩集／エッセイ集などのような各種出版物の付録として提供されるＣＤ、レコードなどの各種オーディオ媒体をユーザーコンピュータに挿入したユーザーの操作に応じて、ユーザーコンピュータからネットワーク通信網を介して遠隔文字支援サービスを提供するサーバーコンピュータに通信接続を行うステップと；（２）サーバーコンピュータからネットワーク通信網を介して通信接続を行うユーザーコンピュータに、現在、データベースとして構築されている遠隔文字支援サービス可能な各種オーディオ媒体のリストを提供するステップと；（３）サーバーコンピュータで、遠隔文字支援サービス可能な各種オーディオ媒体のリストを確認したユーザーの操作に応じて、ユーザーコンピュータに挿入された特定オーディオ媒体の再生選択データが入力されるか否かを判断するステップと；（４）判断結果、ユーザーコンピュータから特定オーディオ媒体の再生選択データが入力されると、サーバーコンピュータで、ユーザーコンピュータに当該オーディオ媒体再生のための再生プログラムが設けられているか否かを判断するステップと；（５）判断結果、ユーザーコンピュータに当該オーディオ媒体再生のための再生プログラムが設けられているならば、サーバーコンピュータでユーザーコンピュータに設けられている再生プログラムの実行を制御し、ユーザーコンピュータに挿入されている当該オーディオ媒体の再生を始めるステップと；(６)前述したステップ(４)の判断結果、ユーザーコンピュータに当該オーディオ媒体再生のための再生プログラムが設けられていなければ、サーバーコンピュータからユーザーコンピュータに再生プログラムをダウンロードしかつ設置して、再生プログラムの実行を制御し、ユーザーコンピュータに挿入されている当該オーディオ媒体の再生を始めるステップと；(７)サーバーコンピュータから、再生プログラムを操作するユーザーの選択によって、ユーザーコンピュータに挿入されたオーディオ媒体の、現在、再生中のオーディオ信号に同期化した文字情報を、ネットワーク通信網を介して、ユーザーコンピュータに出力し、再生プログラム上に表示するステップを含むことを特徴とする。
【００１３】
さらに、本発明によるネットワークベースの遠隔文字支援サービス方法は、
(Ａ)ユーザーコンピュータから、ユーザーの操作に応じてネットワーク通信網を介して遠隔文字支援サービスを提供するサーバーコンピュータに、通信接続を行うステップと；(Ｂ)サーバーコンピュータから、ユーザーコンピュータに挿入される外国語教材、詩集／エッセイ集などのような各種出版物の付録として提供されるＣＤ、レコードなどの各種オーディオ媒体が遠隔文字支援サービス可能であるか否かを自動に認識する認識プログラムと、オーディオ媒体再生のための再生プログラムとを、ユーザーコンピュータにダウンロードし、かつ設置するステップと；(Ｃ)ユーザーコンピュータで、ユーザーの操作に応じて出版物の付録として提供されるＣＤ、レコードなどのオーディオ媒体が挿入されるか否かを判断するステップと；(Ｄ)判断結果、オーディオ媒体が挿入されると、ユーザーコンピュータに既に設けられていた認識プログラムを自動に駆動した後、オーディオ媒体に記録された認識情報を基にサーバーコンピュータの遠隔文字支援サービス可能なオーディオ媒体であるか否かを確認するステップと；(Ｅ)確認結果、オーディオ媒体が遠隔文字支援サービス可能なものであれば、ユーザーコンピュータに既に設けられていた再生プログラムを駆動し、ユーザーコンピュータに挿入されている当該オーディオ媒体の再生を始めるステップと；(Ｆ)ユーザーコンピュータで再生プログラムを操作するユーザーの選択によって、ユーザーコンピュータに挿入されたオーディオ媒体の、現在、再生中であるオーディオ信号に同期化した文字情報をネットワーク通信網を介してサーバーコンピュータから提供を受けて、再生プログラム上に表示する過程を包含することを他の特徴とする。
【発明の効果】
【００１４】
本発明によると、サーバーコンピュータの遠隔駆動制御によってユーザーコンピュータのオーディオドライバに挿入された各種オーディオ媒体を再生すると共に、再生されるオーディオ信号に同期化した文字情報をサーバーコンピュータから提供を受けて、モニター上に表示することによって、オーディオのみ記録されている各種オーディオ媒体に多様なキャプション機能を与えることができ、且つ、各種オーディオ媒体に貯蔵されたオーディオ信号はサーバーコンピュータ側の遠隔制御によってユーザーコンピュータで再生され、サーバーコンピュータ側ではユーザーコンピュータで再生されるオーディオ信号に同期化した文字情報のみを伝送するため、ネットワークの負荷が全く生じないという効果を奏する。
【００１５】
また、サーバーコンピュータの運営者側が、現在、もう市場に出ているものや出る予定である外国語教材、詩集／エッセイ集などのような各種出版物の付録として提供されるＣＤ、レコードなどの各種オーディオ媒体の文字情報をデータベースとして構築する場合、既存、オーディオ信号のみを再生しかつ利用していたユーザー等が、改めて当該オーディオ信号に同期化した文字情報を利用することができることになるため、落ち込みつつある出版やレコード業界などにとって新しいサービスを創り出すことができる。且つ、これは、販売増加及び顧客満足度を向上させるにつながる効果をも奏する。
【発明を実施するための最良の形態】
【００１６】
以下、図面を参照して、この発明の実施形態を詳細に説明する。
【００１７】
図１は、本発明によるネットワークベースの遠隔文字支援サービスシステムの構成を概略的に示したブロック図である。
【００１８】
図示されたように、ネットワーク通信網１００は、有/無線インターネットなどのような通信網として、複数のユーザーコンピュータ２００と、サーバーコンピュータ３００との間の通信回線を連結し、相互間に遠隔文字伝送と関連されたデータ通信が行われるようにした。
【００１９】
複数のユーザーコンピュータ２００は、オーディオドライバ(例えば、ＣＤ−ＲＯＭドライバ)に外国語教材、詩集／エッセイ集などのような各種出版物の付録として提供されるＣＤ、レコードなどの各種オーディオ媒体を挿入したユーザーの操作によって、ネットワーク通信網１００を介して遠隔文字支援サービスを提供するサーバーコンピュータ３００と通信接続を行い、新規会員登録又は会員ログインを行い、会員接続されたサーバーコンピュータ３００から遠隔文字支援サービス可能な各種オーディオ媒体リストの提供を受けて、画面上に表示する。
【００２０】
そして、複数のユーザーコンピュータ２００は、サーバーコンピュータ３００から提供された遠隔文字支援サービス可能な各種オーディオ媒体リストを確認したユーザーが、現在、オーディオドライバに挿入されている特定オーディオ媒体の再生選択データをサーバーコンピュータ３００に出力して、サーバーコンピュータ３００の制御に従って、当該オーディオ媒体の再生のための再生プログラムを実行し、再生プログラム実行以降、ユーザーによりオーディオ媒体の特定トラックが選択されると、オーディオドライバに挿入されたオーディオ媒体の当該トラックを再生し、且つ、ユーザーの選択によって、現在、再生されているオーディオ信号に同期化した所定の文字情報をサーバーコンピュータ３００から提供を受けて、再生プログラム上に表示する。
【００２１】
この時、ユーザーコンピュータ２００で再生される再生プログラムは、基本的な文字情報（原文／翻訳文）同期化表示機能の他に、文章単位の任意回数の繰返し機能、トラックとサブトラックとの任意回数の繰返し機能、文章と文章との間に任意間隔挿入機能、トラック／サブトラック／文章ワンクリック瞬間移動機能、トラック/サブトラックフォルダー窓の表示機能、進行情報ディスプレー機能などを、行うことができる。
【００２２】
サーバーコンピュータ３００は、外国語教材、詩集／エッセイ集などのような各種出版物の付録として提供されるＣＤ、レコードなどの各種オーディオ媒体に記録されるオーディオ信号に同期化した文字情報をデータベースとして構築し、オーディオ媒体の再生のための再生プログラムを貯蔵し、且つ、ネットワーク通信網１００を介して通信接続を行うユーザーコンピュータ２００の新規会員登録又は会員ログインを行ってから、遠隔文字支援サービス可能な各種オーディオ媒体リストをユーザーコンピュータ２００に提供する。
【００２３】
そして、サーバーコンピュータ３００は、遠隔文字支援サービス可能な各種オーディオ媒体リストを確認したユーザーコンピュータ２００から特定オーディオ媒体の再生が選択されると、ユーザーコンピュータ２００のオーディオドライバに挿入された当該オーディオ媒体の再生のための再生プログラムの実行を制御し、且つ、再生プログラムの実行以降、ユーザーの操作に応じてオーディオドライバに挿入されたオーディオ媒体の特定トラックが再生されると、当該トラックのオーディオ信号に同期化した所定の文字情報をユーザーコンピュータ２００に出力し、再生プログラム上に表示できるようにする。
【００２４】
図２は、前述した図１のユーザーコンピュータ２００の構成を詳細に示したブロック図である。
【００２５】
図示されたように、オーディオドライバ部２１０は、ネットワーク通信網１００を介して、サーバーコンピュータから遠隔駆動制御のためのデータの入力を受けた制御部２２０の制御に従って実行される再生プログラムを介して、ユーザーの挿入した外国語教材、詩集／エッセイ集などのような各種出版物の付録として提供されるＣＤ、レコードなどの各種オーディオ媒体の再生を行う。
【００２６】
制御部２２０は、ユーザーの操作に応じてデータ通信部２４０を介してサーバーコンピュータ３００との通信接続を制御し、ユーザーの入力する新規会員登録データ又は会員ログインデータをサーバーコンピュータ３００に出力するよう制御し、サーバーコンピュータ３００から提供される遠隔文字支援サービス可能な各種オーディオ媒体リストを確認したユーザーの操作によって、ユーザーコンピュータ２００に挿入した特定オーディオ媒体を再生するためのデータをサーバーコンピュータ３００に出力するよう制御し、サーバーコンピュータ３００の遠隔駆動制御に従って、再生プログラム実行を制御し、オーディオドライバ部２１０を介して挿入されたオーディオ媒体を再生するようにし、且つ、オーディオドライバ部２１０を介して再生されるオーディオ信号に同期化した文字情報をサーバーコンピュータ３００から受けて、再生プログラム上に表示する。
【００２７】
プログラム駆動部２３０は、制御部２２０の制御に従って、再生プログラムを実行せしめ、オーディオドライバ部２１０を介してユーザーの挿入したオーディオ媒体の各トラックに貯蔵されているオーディオ信号が再生できるようにする。この際、再生プログラムは、前もってユーザーコンピュータ２００に設けられているか、又は、ユーザーが特定オーディオ媒体の再生を選択する際、サーバーコンピュータ３００からダウンロードし、かつ設置する。
【００２８】
データ通信部２４０は、制御部２２０の制御に従って、ネットワーク通信網１００を介してサーバーコンピュータ３００に通信接続を行い、サーバーコンピュータ３００から提供される遠隔文字支援サービス可能な各種オーディオ媒体リストを制御部２２０へ出力し、サーバーコンピュータ３００から提供される各種オーディオ媒体に対するリストを確認したユーザーの特定オーディオ媒体の再生選択によって、サーバーコンピュータ３００から入力される特定オーディオ媒体の駆動制御のためのデータを制御部２２０に出力し、且つ、現在、再生中のオーディオ信号に同期化した文字情報をネットワーク通信網１００を介してサーバーコンピュータ３００から受けて、制御部２００に出力する。
【００２９】
モニター２５０は、制御部２２０の制御によってオーディオ媒体の再生のために実行された再生プログラムを画面上に表示し、且つ、制御部２２０の制御に従って、データ通信部２４０を介してサーバーコンピュータ３００から提供される文字情報を再生プログラム上に表示する。
【００３０】
図３は、前述した図１のサーバーコンピュータ３００の構成をさらに詳しく示したブロック図である。
【００３１】
図示されたように、データ通信部３１０は、制御部３２０の制御に従って、ネットワーク通信網１００を介して通信接続を行ったユーザーコンピュータ３００と遠隔文字支援サービス可能な各種オーディオ媒体等のリスト出力、特定オーディオ媒体の再生選択データ入力、ユーザーの選択した特定オーディオ媒体の遠隔駆動制御のためのデータ出力、ユーザーコンピュータ２００で再生中のオーディオ信号に同期化した文字情報の出力を処理する。
【００３２】
制御部３２０は、データ通信部３１０を介して通信接続を行ったユーザーコンピュータ２００に遠隔文字支援サービス可能な各種オーディオ媒体リストの提供を制御し、データ通信部３１０を介してユーザーコンピュータ２００から特定オーディオ媒体の再生選択データが入力されると、当該オーディオ媒体の遠隔駆動制御のためのデータをユーザーコンピュータ２００に出力し、且つ、該ユーザーコンピュータ２００で再生されるオーディオ信号に同期化した所定の文字情報をデータベース３３０から取り出して、ユーザーコンピュータ２００に出力するよう制御する。
【００３３】
この際、制御部３２０では、ユーザーにより特定オーディオ媒体の再生選択データが入力されると、当該ユーザーコンピュータ２００にユーザーの選択した特定オーディオ媒体を再生することができる再生プログラムが設けられているか否かを確認し、再生プログラムが設けられているならば、当該オーディオ媒体の遠隔駆動制御のためのデータをユーザーコンピュータ２００へ出力して、オーディオ媒体が再生できるようにする。且つ、再生プログラムが設けられていなければ、当該ユーザーコンピュータ２００へ再生プログラムのダウンロードを先に行った後、当該オーディオ媒体の遠隔駆動制御のためのデータを提供し、オーディオ媒体が再生できるようにする。
【００３４】
データベース３３０は、外国語教材、詩集／エッセイ集などのような各種出版物の付録として提供されるＣＤ、レコードなどの各種オーディオ媒体に記録されたオーディオ信号に同期化した文字情報を貯蔵していて、制御部３２０の制御に従って、ユーザーコンピュータ２００で再生中のオーディオ信号に同期化した特定オーディオ媒体の文字情報を取り出して、制御部３２０へ出力する。
【００３５】
一方、前述した実施形態とは異なって、ユーザーの操作に応じて、ＣＤ、ＤＶＤなどのオーディオ媒体がユーザーコンピュータ２００に挿入されると、ユーザーコンピュータ２００で認識プログラムを自動に駆動した後、オーディオ媒体に記録されている認識情報を基にサーバーコンピュータ３００の遠隔文字支援サービス可能なオーディオ媒体であるか否かを確認し、該確認結果、オーディオ媒体がサーバーコンピュータ３００の遠隔文字支援サービス可能なものであると確認されると、自動に、再生プログラムを駆動し、ユーザーコンピュータ２００に挿入されたオーディオ媒体のオーディオ信号を再生し、現在、再生されているオーディオ信号に同期化した文字情報をサーバーコンピュータ３００から受けて、再生プログラム上に表示することができる。
【００３６】
この際、ユーザー達が本発明によるサービスを利用するためには、保有していたオーディオ媒体を再生する前に、サーバーコンピュータ３００に会員接続を行い、サーバーコンピュータ３００から遠隔文字支援サービス可能であるか否かを自動に認識し得る認識プログラムをダウンロードし、ユーザーコンピュータ２００に設けるべきである。
【００３７】
次に、前記のように構成された本発明によるネットワークベースの遠隔文字支援サービス方法の各実施形態を図４と図５とを参照して、詳しく説明する。
【００３８】
先ず、本発明によるネットワークベースの文字支援サービス方法の一実施形態の動作過程を詳しく示した図４を参照して、説明する。
外国語教材、詩集／エッセイ集などのような各種出版物の付録として提供されるＣＤ、レコードなどの各種オーディオ媒体を保有したユーザーが、当該オーディオ媒体をユーザーコンピュータ２００に挿入した後（Ｓ１０５）、ネットワーク通信網１００を介して遠隔文字支援サービスを提供するサーバーコンピュータ３００へ通信接続を進み、新規会員登録、又は会員ログインを行う(Ｓ１１０)。
【００３９】
すると、サーバーコンピュータ３００では、ネットワーク通信網１００を介して通信接続を行ったユーザーコンピュータ２００に、現在、データベースとして構築されている遠隔文字支援サービス可能な各種オーディオ媒体のリストを提供する(Ｓ１１５)。
【００４０】
それから、サーバーコンピュータ３００では、遠隔文字支援サービス可能な各種オーディオ媒体リストを確認したユーザーの操作によって、ユーザーコンピュータ２００に挿入された特定オーディオ媒体の再生選択データがユーザーコンピュータ２００から入力されるか否かを判断する(Ｓ１２０)。
【００４１】
判断の結果、ユーザーコンピュータ２００から特定オーディオ媒体の再生選択データが入力されると、サーバーコンピュータ３００ではユーザーコンピュータ２００に当該オーディオ媒体の再生のための再生プログラムが設置されているか否かを判断する(Ｓ１２５)。
【００４２】
判断の結果、ユーザーコンピュータ２００に当該オーディオ媒体の再生のためのプログラムが設置されていると、サーバーコンピュータ３００ではユーザーコンピュータ２００に設置されている再生プログラムの実行を制御し、ユーザープログラム２００に挿入されている当該オーディオ媒体の再生を始める(Ｓ１３０)。
【００４３】
しかし、前述した過程(Ｓ１２５)の判断の結果、ユーザーコンピュータ２００に当該オーディオ媒体の再生のためのプログラムが設置されていなければ、サーバーコンピュータ３００からユーザーコンピュータ２００に再生プログラムをダウンロードしかつ設置し(Ｓ１３５)、再生プログラムの実行を制御して、ユーザーコンピュータ２００に挿入されている当該オーディオ媒体の再生を始める(Ｓ１４０)。
【００４４】
そして、前述した過程(Ｓ１３０)(Ｓ１４０)を通じて、再生プログラムの実行を制御し、ユーザーコンピュータ２００に挿入されている当該オーディオ媒体の再生を始めた後、サーバーコンピュータ３００では、再生プログラムを操作するユーザーの選択によって、ユーザーコンピュータ２００に挿入されたオーディオ媒体の、現在、再生中のオーディオ信号に同期化した文字情報をネットワーク通信網１００を介してユーザーコンピュータ２００に出力し(Ｓ１４５)、ユーザーコンピュータ２００では、サーバーコンピュータ３００から提供される、現在、再生中であるオーディオ信号に同期化した文字情報を再生プログラム上に表示する(Ｓ１５０)。
【００４５】
次に、サーバーコンピュータ３００では、ユーザーコンピュータ２００からオーディオ媒体の再生を終了するためのデータが入力されるまで、前述した過程(Ｓ１４５)以降を繰返して行う(Ｓ１５５)。
【００４６】
一方、前述した実施例のように、ユーザーコンピュータ２００にオーディオ媒体を挿入したユーザーがサーバーコンピュータ３００に通信接続を行ってから、再生を望むオーディオ媒体を選択することによって、サーバーコンピュータ３００で遠隔にて再生プログラムを実行し、且つ、ユーザーコンピュータ２００で再生されるオーディオ信号に同期化した文字情報を提供するという方式とは異なって、ユーザーがオーディオ媒体をユーザーコンピュータ２００に挿入すると、ユーザーコンピュータ２００で挿入されたオーディオ媒体を自動に認識し、オーディオ媒体はユーザーコンピュータ２００で再生されながら、オーディオ信号に同期化した文字情報をサーバーコンピュータ３００から提供を受けて、画面上に表示するといった方式を用い得る。
【００４７】
図５は、前述したような本発明によるネットワークベースの遠隔文字支援サービスの他の実施形態の動作過程をさらに詳しく示したフローチャートである。
先ず、外国語教材、詩集／エッセイ集などのような各種出版物の付録として提供されるＣＤ、レコードなどの各種オーディオ媒体を保有したユーザーの操作によって、ユーザーコンピュータ２００から、ネットワーク通信網１００を介して遠隔文字支援サービスを提供するサーバーコンピュータ３００に通信接続を行う(Ｓ２０５)。
【００４８】
そして、ユーザーコンピュータ２００は、サーバーコンピュータ３００からユーザーコンピュータに挿入される外国語教材、詩集／エッセイ集などのような各種出版物の付録として提供されるＣＤ、レコードなどの各種オーディオ媒体が、遠隔文字支援サービス可能であるか否かを自動に認識する認識プログラムと、オーディオ媒体の再生のための再生プログラムとを、ダウンロードし、且つ、設置する（Ｓ２１０）。
【００４９】
サーバーコンピュータ３００から認識プログラム及び再生プログラムをダウンロードしかつ設置した後、ユーザーコンピュータ２００では、ユーザーの操作によって、出版物の付録として提供されるＣＤ、レコードなどのオーディオ媒体が挿入されるか否かを判断する(Ｓ２１５)。
【００５０】
該判断の結果、オーディオ媒体が挿入されると、ユーザーコンピュータ２００では既に設置されていた認識プログラムを自動に駆動し(Ｓ２２０)、オーディオ媒体に記録された認識情報を基にサーバーコンピュータ３００の遠隔文字支援サービス可能なオーディオ媒体であるかを確認する(Ｓ２２５)。即ち、ユーザーコンピュータ２００の認識プログラムでは、オーディオ媒体に記録された認識情報(例えば、ヘキサ（ＨＥＸＡ）コード情報)を読み取り、サーバーコンピュータ３００から提供された遠隔文字支援サービス可能なオーディオ媒体等の認識情報と比較し、遠隔文字支援対象となるオーディオ媒体であるかを確認することである。
【００５１】
前述した過程(Ｓ２２５)の確認の結果、ユーザーの挿入したオーディオ媒体が遠隔文字支援サービス不可能なものであれば、ユーザーコンピュータ２００では、ユーザーの操作に応じて、当該オーディオ媒体に記録されたオーディオ信号のみを再生する(Ｓ２３０)。
【００５２】
しかし、前述した過程(Ｓ２２５)の確認の結果、ユーザーの挿入したオーディオ媒体が遠隔文字支援サービス可能なものであれば、ユーザーコンピュータ２００では、既に設置されていた再生プログラムを駆動して、ユーザーコンピュータ２００に挿入されている当該オーディオ媒体の再生を始める(Ｓ２３５)。
【００５３】
そして、前述した過程(Ｓ２３５)を介して、再生プログラムを実行してユーザーコンピュータ２００に挿入されている当該オーディオ媒体の再生を始めた後、ユーザーコンピュータ２００では、再生プログラムを操作するユーザーの操作に応じて、ユーザーコンピュータ２００に挿入されたオーディオ媒体の、現在、再生中のオーディオ信号に同期化した文字情報をネットワーク通信網１００を介してサーバーコンピュータ３００から提供を受けて(Ｓ２４０)、サーバーコンピュータ３００から提供される現在、再生中のオーディオ信号に同期化した文字情報を再生プログラム上に表示する(Ｓ２４５)。
【００５４】
それから、ユーザーコンピュータ２００では、ユーザーの操作に応じてオーディオ媒体の再生を終了するためのデータが入力されるまでに、前述した過程(Ｓ２４０)の以降を繰返し行う(Ｓ２５０)。
【００５５】
前記の実施形態は、本発明の好適な実施形態であり、本発明の実施形態は、これに限定されるものではなく、本発明の要旨を逸脱しない範囲において、さまざま変形して実施することが可能となる。
【図面の簡単な説明】
【００５６】
【図１】本発明によるネットワークベースの遠隔文字支援サービスシステムの構成を概略的に表したブロック図。
【図２】図１におけるユーザーコンピュータの構成を詳細に表したブロック図。
【図３】図１におけるサーバーコンピュータの構成を詳細に表したブロック図。
【図４】本発明によるネットワークベースの遠隔文字支援サービス方法の一実施形態の動作過程を詳細に示したフローチャート。
【図５】本発明によるネットワークベースの遠隔文字支援サービス方法の他の実施形態の動作過程を詳細に示したフローチャート。
【符号の説明】
【００５７】
１００  ネットワーク通信網
２００  ユーザーコンピュータ
２１０  オーディオドライバ部
２２０  制御部
２３０  プログラム駆動部
２４０  データ通信部 
２５０  モニター
３００  サーバーコンピュータ
３１０  データ通信部
３２０  制御部
３３０  データベース
【図１】
2006092510.tif 000003
【図２】
2006092510.tif 000004
【図３】
2006092510.tif 000005
【図４】
2006092510.tif 000006
【図５】
2006092510.tif 000007